(57)【要約】【課題】取着具を遊技盤の後側に配置し操作部材のみを遊技盤の前側へ突出し得るようにし、遊技盤の前面において取着具が面積的に占める割合を極力少なくして遊技盤面における遊技領域の拡大化をできるかぎり可能とした遊技機を提供する。【解決手段】遊技機本体３の前面に遊技盤固定領域５が形成されると共にそこに取着具１５が設けられ、取着具１５は、遊技盤固定領域５に取着され遊技盤４の外周側部の後側に位置する枠部材１６と、枠部材１６内に配置されると共に遊技盤４の前後方向に自在に進退動しかつその前側へ突出し得る操作部材２８と、枠部材１６内に軸着され操作部材２８の進退動作に伴い連動して正逆自在に回動するレバー部材１９と、レバー部材１９に基端部が軸着され先端部の連係ピン２４を枠部材１６の両側面の長孔２５に挿通し操作部材２８の進退動作に伴い遊技盤４の後面に設けたフック３６に係脱自在に係合するリンク部材２２と、からなる。【選択図】図５
2010104680.tif 000002
【特許請求の範囲】
【請求項１】
遊技機本体の前面にその前側から遊技盤を配置固定する遊技盤固定領域が形成され、前記遊技盤固定領域に前記遊技盤を固定する取着具が設けられた遊技機であって、
前記取着具は、遊技盤固定領域に取着され該遊技盤固定領域に配置された遊技盤の外周側部の後側に位置する枠部材と、
前記枠部材内に配置されると共に前記遊技盤固定領域に配置された遊技盤の前後方向に自在に進退動しかつその前側へ突出し得る操作部材と、
前記枠部材内に軸着され前記操作部材の進退動作に伴い連動して正逆自在に回動するレバー部材と、
前記レバー部材に基端部が軸着され先端部の両側に突設された連係ピンを前記枠部材の両側面に開設された長孔に挿通し前記操作部材の進退動作に伴い前記遊技盤固定領域に配置される前記遊技盤の後面に設けたフックに係脱自在に係合するリンク部材、とからなることを特徴とする遊技機。
【請求項２】
前記操作部材にラック歯部を設けると共に前記レバー部材に該ラック歯部と噛合するピニオン歯部を設け、前記操作部材の進退動作に伴い前記レバー部材が連動するようにした請求項１記載の遊技機。
【請求項３】
前記操作部材に該操作部材を前側へ引いて後退させるとき遊技盤面の後面に当接し、前記遊技盤を前側へ押し出す押圧凸部を設けた請求項２記載の遊技機。
【発明の詳細な説明】
【技術分野】
【０００１】
本発明は、遊技盤を遊技機本体の遊技盤固定領域にその前側から着脱可能に装着するようにした遊技機に関するものである。
【背景技術】
【０００２】
近年、この種遊技機の一種であるパチンコ遊技機にあっては、リサイクルや経済性の観点から、遊技盤とその遊技内容を制御する制御基板を新しいものと同時に交換できるようにしたものが主流になりつつある。これに伴い、遊技機本体への遊技盤の固定方法として、交換が行ない易いという点から、近時、遊技機本体の後側から遊技盤を着脱する方法に替わって遊技機本体の前側から遊技盤を着脱可能としたパチンコ遊技機へ移行しつつある（例えば、特許文献１、２参照。）。また、遊技の興趣が高められることから、各種の図柄を変動表示する表示部を備えた可変表示装置や可動役物の大型化が著しく、このため遊技盤前面の遊技領域の拡大化が強く望まれている。
【０００３】
【特許文献１】特許第３８８９９６５号公報（第３−５頁、図５、図６）
【特許文献２】特許第４０３１６３８号公報（第３頁、図１、図２）
【発明の開示】
【発明が解決しようとする課題】
【０００４】
しかしながら、前記特許文献１及び特許文献２に係るパチンコ遊技機から明らかなように、遊技盤の取着具が構成上回転ロック式であってしかも遊技盤面に露出しているため、特許文献１におけるつまみ部や特許文献２におけるハンドルの回転可動範囲を遊技盤の前面や取付部材において表面的に確保しなければならない。このように、それら取着具が遊技盤の前面で必要な面積を占め、更に遊技盤の前面には他に例えばスピーカ、電飾部品が装着されたり証紙が貼着される関係上、遊技盤面における遊技領域の拡大化は現実的に困難であった。また、遊技盤の前側から固定する取着具を採用すると、取着具が前側から丸見えになって意匠的にも見栄えが悪く、これを直すためには特許文献１のように装飾を施した透明板保持枠等で覆い隠す構成を採用するかまたはロック機構を覆い隠す部材を新たに設けざるを得ない。ところが、このような施策を採ると、遊技領域の拡大化を更に閉ざしてしまうという課題が生ずる。
【０００５】
そこで、本発明は、上記課題を解決すべくなされたもので、取着具を遊技盤の後側に配置すると共に操作部材のみを遊技盤の前側へ突出し得るようにし、取着具が遊技盤の前面において面積的に占める割合を極力少なくして遊技盤面における遊技領域の拡大化をできるかぎり可能とした遊技機を提供することを目的とするものである。
【課題を解決するための手段】
【０００６】
かかる目的を達成するため本発明の遊技機は、遊技機本体の前面にその前側から遊技盤を配置固定する遊技盤固定領域が形成され、前記遊技盤固定領域に前記遊技盤を固定する取着具が設けられた遊技機であって、前記取着具は、遊技盤固定領域に取着され該遊技盤固定領域に配置された遊技盤の外周側部の後側に位置する枠部材と、前記枠部材内に配置されると共に前記遊技盤固定領域に配置された遊技盤の前後方向に自在に進退動しかつその前側へ突出し得る操作部材と、前記枠部材内に軸着され前記操作部材の進退動作に伴い連動して正逆自在に回動するレバー部材と、前記レバー部材に基端部が軸着され先端部の両側に突設された連係ピンを前記枠部材の両側面に開設された長孔に挿通し前記操作部材の進退動作に伴い前記遊技盤固定領域に配置される前記遊技盤の後面に設けたフックに係脱自在に係合するリンク部材、とからなることを特徴とする。
【０００７】
そこで、本発明の遊技機は、前記遊技盤固定領域に遊技盤を配置した状態で前記操作部材を後側へ押し進出させることにより、前記レバー部材が遊技盤を固定する正方向へ回動し前記リンク部材が前記長孔に沿って往動する。そして、前記リンク部材が前記遊技盤の後面に設けたフックに係合する。また、前記操作部材を前側へ引き後退させることにより、前記レバー部材が遊技盤の固定を解除する逆方向へ回動し前記リンク部材が前記長孔内を復動する。そして、前記リンク部材が前記フックから外れるようになる。
【０００８】
この際、前記操作部材にラック歯部を設けると共に前記レバー部材に該ラック歯部と噛合するピニオン歯部を設け、前記操作部材の進退動作に伴い前記レバー部材が連動するようにすることが好ましい。
【０００９】
また、前記操作部材に該操作部材を前側へ引いて後退させるとき遊技盤面の後面に当接し、前記遊技盤を前側へ押し出す押圧凸部を設けることが好ましい。
【発明の効果】
【００１０】
本発明に係る遊技機は、遊技盤固定領域に設けられる取着具が、該遊技盤固定領域に配置された遊技盤の外周側部の後側に位置する枠部材と、枠部材内に配置されると共に遊技盤固定領域に配置された遊技盤の前後方向に自在に進退動しかつその前側へ突出し得る操作部材と、を備えてなる。このように、枠部材を遊技盤の外周側部の後側に配置すると共に操作部材を前後方向に進退動させて遊技盤の脱着を行なうようにしたので、遊技盤の前面にあっては操作部材しか露出しない。よって、該操作部材を小さく形成すれば、遊技盤の前面において取着具の面積的に占める割合が極力少なくなる。これにより、遊技盤面における遊技領域の拡大化、引いては遊技盤の前面の有効活用が可能になるという有益な効果を奏する。
【００１１】
また、操作部材にラック歯部を設けると共にレバー部材に該ラック歯部と噛合するピニオン歯部を設け、これらラック歯部とピニオン歯部とが噛合することにより操作部材の進退動作に伴いレバー部材が連動するようにすれば、レバー部材を確実にかつ円滑に動作させることができるという効果を有する。
【００１２】
更に、この際、操作部材に該操作部材を前側へ引き後退させるとき遊技盤面の後面に当接し、遊技盤を前側へ押し出す押圧凸部を設けるようにすれば、遊技盤固定領域から遊技盤を取り外すに操作部材を前側へ引き出す動作のみで行なえる。しかも、遊技盤の後面と遊技盤固定領域の前面に遊技盤を固定したとき互いに接続されるコネクターを設けておけば、これらを同時に取り外すことができ作業性に優れるという効果もある。
【発明を実施するための最良の形態】
【００１３】
以下、本発明に係る遊技機の実施の形態を図面に基づき詳しく説明する。本発明は、パチンコ遊技機、アレンジボール機、雀球機、パチスロ機等の遊技機に適用されるが、この内、本発明はパチンコ遊技機に適用される場合について説明する。
【００１４】
図１は本発明に係るパチンコ遊技機であって透明板保持枠を開いた状態の斜視図、図２は同遊技盤を外した状態の斜視図である。パチンコ遊技機Ｐは縦長長方形状の機枠１を有し、該機枠１の前側に本体枠２を開閉自在に装着して遊技機本体３が形成される。該遊技機本体３すなわち本体枠２の前面に、遊技盤固定領域５として遊技盤４を前側から嵌め込んで固定する凹窪部が形成される。遊技盤固定領域５は周囲を残して後面が開放しており、遊技盤４の後面に装着され該後面から後方へ突出する盤面部品や制御基板ボックスが干渉しないようになっている。遊技盤４の前面には、渦巻き状に敷設された内側・外側ガイドレール６ａ，６ｂにより囲われるようにして遊技部４ａが形成される。
【００１５】
図示は省略するが、前記遊技部４ａには、例えばその中央に文字、数字等の図柄を変動表示する変動表示装置が配設される。また、その下方に遊技部４ａに打ち込まれた遊技球が入賞することにより変動表示装置に表示した図柄を変動させる始動入賞口が配置され、更に、その下方に一度に多くの入賞球を発生する大型の入賞装置が配置される。遊技部４ａの中央下縁に、遊技部４ａに打ち込まれた遊技球であっていずれの入賞口にも入賞しなかった遊技球をアウト球として遊技盤４の裏側へ排出するアウト球口７が設けられている。遊技盤４の一側、すなわち遊技盤固定領域５に遊技盤４を配置し該遊技盤４を前側から見たときの右側、の両端角部はいずれも切り欠かれて凹部８ａ，８ｂが設けられている。これは、遊技盤４を固定する後記取着具１５における操作部材２８が介入するものである。
【００１６】
前記遊技機本体３の本体枠２の一側に、遊技盤４の前面を覆う透明板保持枠９が軸着される。該透明板保持枠９は、額縁状に形成されると共に該透明板保持枠９にガラス板または合成樹脂板からなる透明板１０が装着される。また、透明板保持枠９の下方に打球発射位置（図示せず。）に供給する遊技球を貯留する球受皿１１が装着され、その一側に遊技部４ａに打ち込まれる遊技球の打球力を調整するための打球力調整ハンドル１２が装着されている。
【００１７】
次に、遊技盤固定領域５について説明する。図３に示すように遊技盤固定領域５の凹窪部内の横幅は、嵌合して取り付けられる遊技盤４が前側から見て左右方向にはずれない幅を有し、凹窪部内の取付面である下部底面に遊技盤４の下端面４ｂを載せる水平な載置台１３が設けられる。また、凹窪部内の一側、すなわちパチンコ遊技機Ｐを正面から見て左側、に上下に位置して遊技盤４の一側を挿入するための挟着片１４，１４が設けられている。詳しくは、本体枠２の側縁すなわち遊技盤固定領域５における取付面である側縁部２ａの前面と挟着片１４の後面との間の間隔が挟着部１４ａとなり、遊技盤４の厚み寸法とほぼ一致する。一方、反対側すなわち右側の取付面である側縁部２ａの前面に、同じく上下に位置して遊技盤４の他側を固定する取着具１５，１５が設けられている。
【００１８】
前記取着具１５は、合成樹脂製からなり、前記遊技盤固定領域５の一側すなわち側縁部の上下部にそれぞれ対称的に配置固定される。そこで、両取着具１５，１５は同じ構成であるので、下に位置する取着具１５について説明する。図４に示すように該取着具１５は、遊技盤固定領域５の側縁部２ａの前面にビス止めして固着される枠部材１６を有する。該枠部材１６は、後面と下面が大きく開放した側面Ｌ字形に形成され、縦枠部１６ａ内には左右両側壁１７，１７間に差し渡される支軸１８にレバー部材１９が軸着される。該レバー部材１９は支軸１８によりその中間部で軸着され、その一側である下端の両側に軸ピン２０，２０が突設され、これら軸ピン２０，２０が後記する操作部材２８の後端の連結孔３０，３０に嵌合することになる。
【００１９】
一方、レバー部材１９の他側である上端にもその両側に軸ピン２１，２１が突設され、両軸ピン２１，２１はリンク部材２２に軸着される。すなわち、リンク部材２２は、軸杆２２ａとその両端部に該軸杆２２ａに対して直交する脚杆２２ｂ，２２ｂが設けられ、各脚杆２２ｂの先端に前記レバー部材１９の上端部に設けた軸ピン２１が遊嵌するピン孔２３が設けられている。リンク部材２２における軸杆２２ａの両端面に連係ピン２４，２４が突設されている。これら連係ピン２４，２４は、前記枠部材１６における両側壁１７，１７に対向位置して対称に形成された鉛直な長溝２５，２５に遊嵌される。これにより、レバー部材１９が往回動するのに伴いリンク部材２２の上端両側の連係ピン２４，２４が両長孔２５，２５内を上方へ摺動する。また、レバー部材１９が復回動するのに伴い両連係ピン２４，２４が両長孔２５，２５内を下方へ摺動するようになっている。縦枠部１６ａの正側壁２６には前記長孔２５の上下の長さ寸法に対応位置して方形状の通口２７が開設される。
【００２０】
枠部材１６における横枠部１６ｂの前端面は開放しており、該横枠部１６ｂ内に前側から操作部材２８が挿入される。この場合、操作部材２８は、上面が開放した長方形状の箱型に形成され、後端面両側から後方へ平行に突出される支持片２９，２９の後端部に少し上下に長い縦長の連結孔３０，３０が開設され、これら連結孔３０，３０に前記レバー部材１９における下端両側の軸ピン２０，２０が遊嵌される。また、操作部材２８の前端部には上面が開放した操作部２８ａが設けられ、その操作部２８ａ内は指が一本入る位の大きさをしており、また、その前面は指先で押すことができる程度の広さを有する。操作部材２８，２８の両側面には操作部２８ａ側の上縁に沿って上部ガイド片３１，３１がほぼ水平に張設される。これに対し、横枠部１６ｂの側壁３２，３２の内側面に、前記両上部ガイド片３１，３１の下面が上面に乗る位置に下部ガイド片３３，３３が設けられている。これにより、これら上部ガイド片３１，３１の下面が下部ガイド片３３，３３の上面に摺接するようにして操作部材２８が遊技盤固定領域５に配置された遊技盤４の前後方向に自在に進退動することになる。
【００２１】
枠部材１６における縦枠部１６ａの下部の両外側面にビス孔３４を開設した取付片３５，３５が突接され、遊技盤固定領域５の所定位置に横枠部１６ｂを前側に向けて枠部材１６を配置し、各ビス孔３４にビス（図示せず。）を挿通して枠部材１６が取着される。遊技盤４を遊技盤固定領域５に配置した状態では、該遊技盤４の外周側部の後側に枠部材１６が位置し、横枠部１６ｂと共に操作部材２８が介入する。よって、遊技盤４の前側からでは取着具１５の枠部材１６は隠れて見えず、操作部材２８の操作部２８ａ前面しか見えないことになる。一方、遊技盤４の後面には前記取着具１５の通口２７に対応位置して下向き逆Ｌ字型のフック３６が突設され、遊技盤４を遊技盤固定領域５に配置し押し込んだ状態では、前記遊技盤４のフック３６が通口２７を介して枠部材１６における縦枠部１６ａ内に介入するようになっている。
【００２２】
本発明にあっては、遊技盤４の後面の所定位置、この場合遊技盤４を前から見て右側の後面に電気的な接続部として多数の配線（図示せず。）を接続したコネクター３７が設けられる。また、これと対応して遊技盤固定領域５における取付面には、前記コネクター３７と対向位置し該コネクター３７と接続できるコネクター３８が取り付けられている。これら両コネクター３７，３８は、遊技盤４を遊技盤固定領域５に前側から押し込むことにより自動的に接続され、逆に、遊技盤４を前側へ引き出すとその接続が外れることになる。
【００２３】
本発明に係るパチンコ遊技機Ｐは上記構成からなり、次に遊技盤４の脱着方法を説明する。まず、遊技盤４を遊技盤固定領域５に取り付けて固定する方法を説明する。この場合、上部の取着具１５も同様な動作をなす関係上、下部の取着具１５を主として説明する。そこで、透明板保持枠９を開放し、各取着具１５における操作部材２８の操作部２８ａに指を掛けて該操作部材２８を前方へ引き出しておく。これにより、レバー部材１９が逆方向へ回動すると共にリンク部材２２が引き下げられ、遊技盤４後面のフック３６が通口２７を介して枠部材１６内に介入してきてもリンク部材２２に衝突するなどの支障が生じないようになる。
【００２４】
この状態で、図３及び図５（イ）の鎖線に示すように遊技盤固定領域５の前側に遊技部４ａが前側を向くようにして遊技盤４を配置し、下部の載置台１３の上面に遊技盤４の下端面４ｂを載せる。そして、遊技盤４を横方向へずらせて、該遊技盤４の一側縁を遊技盤固定領域５の一側に設けられた挟着部１４ａに差し込む。次に、図３及び図５（イ）の実線に示すように遊技盤４の他側縁を遊技盤固定領域５の取付面側へ押し込む。この際、上下部の各取着具１５は横枠部１６ｂと共に操作部材２８が遊技盤４の凹部８ａ，８ｂ内にそれぞれ介入することから、遊技盤４の動作に衝突するといった支障の生ずることはない。
【００２５】
図５（イ）の実線に示すように遊技盤４を押し込んだ状態で、操作部材２８の操作部２８ａを後側へ押す。これにより、図５（ロ）に示すようにレバー部材１９が遊技盤を固定する正方向へ回動してリンク部材２２を押し上げ、リンク部材２２の上端両側の連係ピン２４，２４を長孔２５の上端側へ押し上げる。また、リンク部材２２の軸杆２２ａがフック３６の内面における上面３６ａと前面３６ｂにきつく当接する。しかも、この際、レバー部材１９における上端の両軸ピン２１，２１の中心Ｏ１が支軸１８の中心Ｏ２とリンク部材２２における軸杆２２ａの中心Ｏ３とを結ぶ線よりも前側に位置しかつレバー部材１９の上端が縦枠部１６ａの正側壁２６の後面に当接することから、そのロック状態が緩んだり外れることはない。これにより、遊技盤４がしっかりと固定される。前記フック３６における前面３６ｂの下端角部には弧状面３６ｃが形成され、リンク部材２２の軸杆２２ａをフック３６内に誘導し易くしている。また、前記操作部材２８の操作部２８ａは、遊技盤４を遊技盤固定領域５に押し込み固定したとき遊技盤４の前面よりも前側へ突出している。
【００２６】
また、図５（ロ）に示すように遊技盤４が遊技盤固定領域５の取付面に圧接され固定した状態では、同時に前記遊技盤４側のコネクター３７と遊技機本体３側である遊技盤固定領域５側のコネクター３８とが合致して接続される。これにより、遊技盤４面に装着される変動表示装置や始動入賞口及び大型の入賞装置が動作するようになり、遊技盤４面に装着され電飾された各盤面部品がカラフルな色で点灯または点滅するなど遊技盤４に装着される各部材が電気的に作動するようになる。このように、遊技盤４の取り付けと同時に両コネクター３７，３８が接続されることになって余分な手間がなくなり至便である。
【００２７】
遊技盤固定領域５から遊技盤４を取り外すには、図５（イ）の実線に示すように操作部材２８前端の操作部２８ａに指を掛け該操作部材２８を前側へ引く。これにより、操作部材２８が前側へ引き出されると共にレバー部材１９が遊技盤の固定を解除する逆方向へ回動してリンク部材２２を引き下げる。また、リンク部材２２の軸杆２２ａとフック３６との係合が外れる。この状態で、遊技盤４を前側へ引き出すことができ、これに伴い、前記遊技盤４側のコネクター３７と遊技盤固定領域５側のコネクター３８も自動的に外される。そして、遊技盤４を引っ張り挟着部１４ａからその一側を抜く。このようにして遊技盤４が取り外せる。
【００２８】
このように、本発明は枠部材１６を遊技盤４の外周側部の後側に配置すると共に操作部材２８を前後方向に進退動させて遊技盤４の脱着を行なうようにしたので、遊技盤４の前面にあっては操作部材２８しか露出しない。よって、該操作部材２８を小さく形成すれば、遊技盤４の前面において取着具１５の面積的に占める割合が極力少なくなる。また、遊技盤４の脱着作業が操作部材２８を進退動させるのみでワンタッチ式に簡単に行なえ、その作業性が良い。更に、取着具１５を遊技盤固定領域５に固着するのみで済み、制作上の手間を極力省くことができ、製作コストも低廉になし得る。
【００２９】
図６乃至図８（イ）（ロ）は他の取着具を示す。なお、前記取着具１５と構成が似ているので、同一部位は同一番号を附すことにより詳しい説明は省略する。該取着具１５１も、合成樹脂製からなり、前記遊技盤固定領域５の一側すなわち側縁部の上下部にそれぞれ対称的に配置固定される。これら取着具１５１，１５１も同じ構成であるので、下に位置する取着具１５１について説明する。図６に示すように該取着具１５１は、遊技盤固定領域５の側縁部２ａの前面にビス止めして固着される枠部材１６１を有する。該枠部材１６１は、左右対称に２分割される半裁枠体１６２，１６２を合致させ側面Ｌ字形に形成される。そして、縦枠部１６１ａ内には左右両側壁４０，４０間に差し渡される支軸１８に側面半円形状のレバー部材１９１が軸着される。該レバー部材１９１は支軸１８によりその中間部で軸着され、その一側である円孤面の下部にピニオン歯部４１が設けられる。このピニオン歯部４１は後記する操作部材２８１のラック歯部４３と噛合することになる。
【００３０】
一方、レバー部材１９１の上端両側に軸ピン２１，２１が突設され、両軸ピン２１，２１はリンク部材２２に軸着される。すなわち、リンク部材２２は、軸杆２２ａとその両端部に該軸杆２２ａに対して直交する脚杆２２ｂ，２２ｂが設けられ、各脚杆２２ｂの先端に前記レバー部材１９１の上端部に設けた軸ピン２１が遊嵌するピン孔２３が設けられている。リンク部材２２における軸杆２２ａの両端面に連係ピン２４，２４が突設されている。これら連係ピン２４，２４は、前記枠部材１６１における両側壁４０，４０に対向位置して対称に形成された鉛直な長孔２５，２５に遊嵌される。これにより、レバー部材１９１が往回動するのに伴いリンク部材２２上端両側の連係ピン２４，２４が両長孔２５，２５内を上方へ摺動する。また、レバー部材１９１が復回動するのに伴い両連係ピン２４，２４が両長孔２５，２５内を下方へ摺動するようになっている。縦枠部１６１ａの正側壁２６にはその上部に前記長孔２５の上下の長さ寸法に対応位置して方形状の通口２７が開設される。また、通口２７の下方に透口４２が開設されている。
【００３１】
枠部材１６１における横枠部１６１ｂにあっては、その中間部の上面が前記透口４２と連通するようにして開放し、また、前端面も開放している。該横枠部１６１ｂ内には前側から操作部材２８１が挿入される。この場合、操作部材２８１は、前後方向に長い長板状に形成され、後端部上面に前記レバー部材１９１のピニオン歯部４１と噛合するラック歯部４３が設けられる。また、その前側であって操作部材２８１の上面には押圧凸部４４が設けられる。この押圧凸部４４は、操作部材２８１に該操作部材２８１を前側へ引き後退させるとき遊技盤４面の後面に当接し、前記遊技盤４を前側へ自動的に押し出すためのものである。操作部材２８１の前端部には上面が開放した操作部２８ａが設けられ、その操作部２８ａ内は指が一本入る位の大きさをしており、また、その前面は指先で押すことができる程度の広さを有する。操作部材２８１の両側面にはその長手方向に沿ってガイドバー４５が設けられ、これらガイドバー４５，４５がこれらと対向して枠部材１６１における横枠部１６１ｂの両側壁４６，４６に開設されたほぼ水平なガイド溝４７，４７に嵌る。これにより、操作部材２８１がこれらガイド溝４７，４７に沿って進退動することになる。
【００３２】
枠部材１６１における縦枠部１６１ａ，１６１ａの上端部の両外側面にビス孔３４を開設した取付片３５，３５が突接され、遊技盤固定領域５の所定位置に横枠部１６１ｂを前側に向けて枠部材１６１を配置し、各ビス孔３４にビス（図示せず。）を挿通して枠部材１６１が取着される。この場合も、遊技盤４を遊技盤固定領域５に配置した状態では、該遊技盤４の外周側部の後側に枠部材１６１が位置し、横枠部１６１ｂと共に操作部材２８１が介入する。よって、遊技盤４の前側からでは取着具１５１の枠部材１６１は隠れて見えず、操作部材２８１の操作部２８ａ前面しか見えないことになる。一方、遊技盤４の後面には前記取着具１５１の通口２７に対応位置して下向き逆Ｌ字型のフック３６が突設され、遊技盤４を遊技盤固定領域５に配置し押し込んだ状態では、前記遊技盤４のフック３６が通口２７を介して枠部材１６１における縦枠部１６１ａ内に介入するようになっている。
【００３３】
他の取着具１５１は上記構成からなり、次にその作用を説明する。この場合も、上部の取着具１５１は下部の取着具１５１と同様な動作をなす関係上、下部の取着具１５１を主として説明する。そこで、透明板保持枠９を開放し、各取着具１５１における操作部材２８１の操作部２８ａに指を掛けて該操作部材２８１を図７に示すように前方へ引き出しておく。このとき、レバー部材１９１が逆方向へ回動すると共にリンク部材２２が引き下げられ、遊技盤４後面のフック３６が通口２７を介して枠部材１６１内に介入してきてもリンク部材２２に衝突するなどの支障が生じないようになる。
【００３４】
この状態で、図３及び図７の鎖線に示すように遊技盤固定領域５の前側に遊技部４ａが前側を向くようにして遊技盤４を配置し、下部の載置台１３の上面に遊技盤４の下端面４ｂを載せる。そして、遊技盤４を横方向へずらせて、該遊技盤４の一側縁を遊技盤固定領域５の一側に設けられた挟着部１４ａに差し込む。次に、図３及び図７の実線に示すように遊技盤４の他側縁を遊技盤固定領域５の取付面側へ押し込む。この際、上下部の各取着具１５１は横枠部１６１ｂと共に操作部材２８１が遊技盤４の凹部８ａ，８ｂ内にそれぞれ介入することから、遊技盤４の動作に衝突するといった支障の生ずることはない。
【００３５】
図７の実線に示すように遊技盤４を押し込んだ状態で、操作部材２８１の操作部２８ａを後側へ押す。これにより、図８（イ）（ロ）に示すようにレバー部材１９１が遊技盤を固定する正方向へ回動してリンク部材２２を押し上げ、リンク部材２２の上端両側の連係ピン２４，２４を長孔２５の上端側へ押し上げる。また、リンク部材２２の軸杆２２ａがフック３６の内面における上面３６ａと前面３６ｂにきつく当接する。しかも、この際、レバー部材１９１における上端の両軸ピン２１，２１の中心Ｏ１が支軸１８の中心Ｏ２とリンク部材２２における軸杆２２ａの中心Ｏ３とを結ぶ線よりも前側に位置しかつ操作部材２８１の押圧凸部４４がレバー部材１９１の前面に当接することから、そのロック状態が緩んだり外れるようなことはない。これにより、遊技盤４がしっかりと固定される。前記フック３６における前面３６ｂの下端角部には弧状面３６ｃが形成され、リンク部材２２の軸杆２２ａをフック３６内に誘導し易くしている。また、前記操作部材２８の操作部２８ａは、遊技盤４を遊技盤固定領域５に押し込み固定したとき遊技盤４の前面よりも前側へ突出している。
【００３６】
また、図８（ロ）に示すように遊技盤４が遊技盤固定領域５の取付面に圧接され固定した状態では、同時に前記遊技盤４側のコネクター３７と遊技機本体３側である遊技盤固定領域５側のコネクター３８とが合致して接続される。これにより、遊技盤４面に装着される変動表示装置や始動入賞口及び大型の入賞装置が動作するようになり、遊技盤４面に装着され電飾された各盤面部品がカラフルな色で点灯または点滅するなど遊技盤４に装着される各部材が電気的に作動するようになる。このように、遊技盤４の取り付けと同時に両コネクター３７，３８が接続されることになって余分な手間がなくなり至便である。
【００３７】
遊技盤固定領域５から遊技盤４を取り外すには、図７の実線に示すように操作部材２８１前端の操作部２８ａに指を掛け該操作部材２８１を前側へ引く。これにより、操作部材２８１が前側へ引き出されると共にレバー部材１９１が逆方向へ回動してリンク部材２２を引き下げる。また、リンク部材２２の軸杆２２ａとフック３６との係合が外れる。この状態で、遊技盤４を前側へ引き出すことができ、これに伴い、前記遊技盤４側のコネクター３７と遊技盤固定領域５側のコネクター３８も自動的に外される。そして、遊技盤４を引っ張り挟着部１４ａからその一側を抜く。このようにして遊技盤４が取り外せる。
【００３８】
この取着具１５１にあっても、枠部材１６１を遊技盤４の外周側部の後側に配置すると共に操作部材２８１を前後方向に進退動させて遊技盤４の脱着を行なうようにしたので、遊技盤４の前面にあっては操作部材２８１しか露出しない。よって、該操作部材２８１を小さく形成すれば、遊技盤４の前面において取着具１５１の面積的に占める割合が極力少なくなる。また、ラック歯部４３とピニオン歯部４１とが噛合することにより操作部材２８１の進退動作に伴いレバー部材１９１が連動するようにしたので、レバー部材１９１を確実にかつ円滑に動作させることができる。この際、操作部材２８１に該操作部材２８１を前側へ引き後退させるとき遊技盤４面の後面に当接し、遊技盤４を前側へ押し出す押圧凸部４４を設けるようにすれば、遊技盤固定領域５から遊技盤４を取り外すに操作部材２８１を前側へ引き出す動作のみで行なえる。しかも、遊技盤４の後面と遊技盤固定領域５の前面に設けられるコネクター３７，３８も同時に取り外すことができ作業性に優れる。
【００３９】
本発明にあっては、遊技盤４の一側、すなわち遊技盤固定領域５に遊技盤４を配置し該遊技盤４を前側から見たときの右側、の両端角部に、いずれも凹部８ａ，８ｂを設けたが、これらを設けずに取着具１５，１５１を遊技盤４の周縁に接するように配置して使用することもできる。また、遊技盤固定領域５と遊技盤４とに位置決め用のボスとボス穴を設けるようにすれば、遊技盤４の取付位置がしっかりと決められ都合がよい。
【図面の簡単な説明】
【００４０】
【図１】本発明に係るパチンコ遊技機であって透明板保持枠を開いた状態の斜視図。
【図２】同遊技盤を外した状態の斜視図。
【図３】本体枠の平面断面図。
【図４】取着具の分解斜視図。
【図５】（イ）（ロ）は取着具の作用を示す要部の側面断面図。
【図６】他の取着具の分解斜視図。
【図７】同作用を示す要部の側面断面図。
【図８】（イ）（ロ）は同作用を示す要部の側面断面図。
【符号の説明】
【００４１】
３              遊技機本体
４              遊技盤
５              遊技盤固定領域
１５            取着具
１６            枠部材
１８            支軸
１９            レバー部材
１９１          レバー部材
２２            リンク部材
２４            連係ピン
２５            長孔
２８            操作部材
２８１          操作部材
３６            フック
４１            ピニオン歯部
４３            ラック歯部
４４            押圧凸部
Ｐ              遊技機（パチンコ遊技機）
【図１】
2010104680.tif 000003
【図２】
2010104680.tif 000004
【図３】
2010104680.tif 000005
【図４】
2010104680.tif 000006
【図５】
2010104680.tif 000007
【図６】
2010104680.tif 000008
【図７】
2010104680.tif 000009
【図８】
2010104680.tif 000010